(57)【特許請求の範囲】
【請求項１】
内面で軸と嵌合し外面で軸受ブッシュと嵌合した円筒よりなり、軸受ブッシュ内面には半径方向に給油口があり、前記円筒には、該給油口に対応した位置に半径方向に貫通した給油受口が設けられ、円筒内面には該給油受口より軸方向に横溝が設けられ、さらに該給油受口より円周方向に縦溝が設けられ、Ｌを円筒長さ、Ｌ１を縦溝の幅、Ｄ１を縦溝の深さ、Ｄ２を横溝の深さ、Ｃ１を軸外面と円筒内面との片側隙間、Ｃ２を軸受ブッシュ内面と円筒外面との片側隙間とすると、
Ｌ１＝０．２Ｌ…（１）
Ｄ１＝８（Ｃ１＋Ｃ２）＝１．６（Ｄ２＋Ｃ１＋Ｃ２）…（２）
前記縦溝の幅Ｌ１と縦溝の深さＤ１は前記（１）式と（２）式で表されることを特徴とするフローティングベアリング。
【請求項２】
前記軸受ブッシュの給油口は１個であり、前記円筒の給油受口は縦溝上に等間隔で３個設けられていることを特徴とする請求項１記載のフローティングベアリング。
【発明の詳細な説明】
【０００１】
【発明の属する技術分野】
本発明は回転機械の軸受に用いられるフローティングベアリングに関する。
【０００２】
【従来の技術】
過給機はディーゼル機関などの内燃機関からの排気ガスによりタービンを回転してコンプレッサを回し、圧縮空気を生成して内燃機関に供給する。この過給機は高回転数で運転され、ラジアル軸受としてフローティングベアリングが用いられる。フローティングベアリングは内面が過給機の回転軸と嵌合し、外面が軸受ブッシュと嵌合し、各嵌合面に注入された潤滑油の油膜により軸からの荷重を軸受ブッシュに伝達する。
【０００３】
図８は従来用いられているフローティングベアリングの一例の断面図である。フローティングベアリングを構成する円筒２の内面には回転軸１が嵌合し、外面は軸受ブッシュ３の内面と嵌合している。軸受ブッシュ３には給油口５が設けられ、円筒２にはこれに対応する位置に給油受口４が設けられている。軸受ブッシュ３は固定であり、円筒２は回転するので給油受口４が給油口５の位置に来た時円筒２内に潤滑油が注入される。一方円筒２外面には給油口５より常時潤滑油が供給されている。
【０００４】
【発明が解決しようとする課題】
給油受口４より流入した潤滑油は回転軸１が矢印のように回転すると、Ｆ１で示すように流れるとともに一部はＦ２で示すように流れる。しかしＰで示す範囲は潤滑油が回り難い。なお潤滑油には遠心力が作用するため回転軸１の回りに回り難くなっている。このため円筒内面の軸方向や円周方向に溝を設け、潤滑油が円筒内面に均一に分布するようにしているが十分ではなかった。油膜の分布が不均一となり油膜が不足する部分が生じるとホワール軸振動が大きくなる。ホワール軸振動とは図５のＡに示すように軸の回転数が変わっても振動数があまり変化しない低周期の振動であり、油膜が薄くなると油膜による減衰効果が少なくなり、振動が大きくなる。ホワール軸振動が大きくなると回転軸１と円筒２の内面が接触しメタルの摩耗や焼き付きを生じ、回転軸１と円筒２の寿命が短かくなると言う問題が発生する。
【０００５】
本発明は、上述の問題点に鑑みてなされたもので、円筒内面の油溝の配置と寸法を適正なものとすることにより、ホワール軸振動を少なくしたフローティングベアリングを提供することを目的とする。
【０００６】
【課題を解決するための手段】
上記目的を達成するため請求項１の発明では、内面で軸と嵌合し外面で軸受ブッシュと嵌合した円筒よりなり、軸受ブッシュ内面には半径方向に給油口があり、前記円筒には、該給油口に対応した位置に半径方向に貫通した給油受口が設けられ、円筒内面には該給油受口より軸方向に横溝が設けられ、さらに該給油受口より円周方向に縦溝が設けられ、Ｌを円筒長さ、Ｌ１を縦溝の幅、Ｄ１を縦溝の深さ、Ｄ２を横溝の深さ、Ｃ１を軸外面と円筒内面との片側隙間、Ｃ２を軸受ブッシュ内面と円筒外面との片側隙間とすると、
Ｌ１＝０．２Ｌ…（１）
Ｄ１＝８（Ｃ１＋Ｃ２）＝１．６（Ｄ２＋Ｃ１＋Ｃ２）…（２）
前記縦溝の幅Ｌ１と縦溝の深さＤ１は前記（１）式と（２）式で表されるようにする。
【０００７】
円筒内面に設けられた横溝は円筒内面の軸方向の油分布に関係し、縦溝は円周方向の分布の油分布に関係する。この縦溝が効果的に働き円周方向の分布を適切とし、ホワール軸振動を少なくするためには、縦溝の幅Ｌ１を（１）式の寸法とし、縦軸の深さＤ１を（２）式の寸法とすればよいことが実験的に分かった。なお、Ｃ１，Ｃ２は片側隙間を表すが、これは両側隙間の１／２の値である。
【０００８】
請求項２の発明では、前記軸受ブッシュの給油口は１個であり、前記円筒の給油受口は縦溝上に等間隔で３個設けられている。このような配置とすることにより適切な油膜がえられ、ホワール軸振動が減少する。
【０００９】
【発明の実施の形態】
以下、本発明の実施の形態について図面を参照して説明する。図１は本発明のフローティングベアリングを備える過給機の縦断面図である。回転軸１は一方の端部にコンプレッサ翼Ｃ、他方の端部にタービン翼Ｔを有する。ベアリングハウジング１２は回転軸１を軸支するとともにコンプレッサ翼Ｃ側でサポートリング１３を介してコンプレッサハウジング１４と結合し、タービン翼Ｔ側でタービンハウジング１５と結合し、過給機を構成する。過給機はサポートリング１３の取付脚１３ａでエンジン１６に取付けられる。
【００１０】
ベアリングハウジング１２はジャーナル軸受１７とスラスト軸受１８により回転軸１を軸支する。また内部には給油路１９と排油路２０が設けられ、給油路１９より両軸受１７、１８に給油し、排油路２０に自由落下させる。ジャーナル軸受１７はフローティングベアリングを構成する円筒２とこの円筒２を軸支する軸受ブッシュ３よりなり、軸受ブッシュ３には給油口５が設けられ、給油路１９からの油を円筒２に供給する。
【００１１】
図２はフローティングベアリングを構成する円筒２の縦断面図を示し、図３は図２のＸ−Ｘ断面図を示す。円筒２の長さＬの中央の円周状上には等間隔（１２０°の間隔）に給油受口４が設けられ、各給油受口４では軸方向に横溝６が両端まで設けられ、円周方向に３個の給油受口４を連結して縦溝７が設けられている。
【００１２】
図４は回転軸１、円筒２、および軸受ブッシュ３の関係を示す図である。円筒２はその給油受口４が軸受ブッシュ３の給油口５と一致するように配置される。Ｌ１は縦溝７の幅、Ｄ１は縦溝の深さを示す。なお、Ｄ２は図２に示すように横溝６の深さを示す。横溝６の幅は油の円周方向の分布に関し縦溝７の寸法とあまり関係しないので特に規定しないが、給油受口４の直径に応じた値とする。Ｃ１は回転軸１の外面と円筒２の内面との片側間隙、Ｃ２は軸受ブッシュ３の内面と円筒２の外面との片側間隙であり、Ｃ１は円筒２の内径と回転軸１の外径の差の１／２であり、Ｃ２は軸受ブッシュ３の内径と円筒２の外径の差の１／２である。
【００１３】
次に軸振動の実験結果について説明する。実験は円筒２の縦溝の寸法を系統的に変えた円筒を複数製作し、過給機の回転数を変え、発生する軸振動の周期と振幅を計測する。円筒２の形状は図２、３に示す形状とする。図５は縦溝７を設けず次の寸法とした場合である。
Ｄ１＝０（縦溝なし）
Ｄ２＝３．９（Ｃ１＋Ｃ２）
【００１４】
図５において横軸は毎分当たりの回転数（ＲＰＭ）、縦軸は振動の周期（Ｈｚ）を示し、丸の大きさは振幅の大きさを示す。図６、７も同様である。過給機の設計回転数は約４００００回転であるが、実験は５００００回転まで行った。Ａはホワール軸振動を示し、Ｂは１次軸振動を示す。ホワール軸振動Ａは低周期の振動で回転数に比例して周期が増加するが、増加率は極めて小さい。
【００１５】
図６は浅い縦溝を設けた場合で、次の寸法を有する。
Ｄ１＝２．７（Ｃ１＋Ｃ２）
＝０．５４（Ｄ２＋Ｃ１＋Ｃ２）
Ｌ１＝０．２Ｌ
【００１６】
図６の場合、ホワール軸振動Ａは図５の場合と殆ど変わらず浅い縦溝は効果がないことを示している。しかし１次振動の振幅は減少している。
【００１７】
図７は適正な縦溝を設けた場合で、次の（１）式及び（２）式の寸法をゆうする。
Ｄ１＝８（Ｃ１＋Ｃ２）
＝１．６（Ｄ２＋Ｃ１＋Ｃ２）・・・（１）
Ｌ１＝０．２Ｌ・・・（２）
【００１８】
図７の場合、ホワール軸振動は大幅に減少し、周期は回転数に無関係で一定となっている。２５０００回転までは発生せず、４５０００回転までに小さな振動が発生する程度で、実用的には殆ど発生しない状態である。１次振動も図５にくらべ振幅が減少している。
【００１９】
このような実験結果を整理し、図７に示すように、実用的にはホワール軸振動が殆ど発生しない状態となるようにし、軸受としての設計条件も考慮して縦溝の深さＤ１と幅Ｌ１を定めたのが、下記の（１）´式と（２）´式である。
０．１Ｌ≦Ｌ１≦０．３Ｌ…（１）´
（Ｄ２＋Ｃ１＋Ｃ２）≦Ｄ１≦１０（Ｃ１＋Ｃ２）…（２）´
ここで、Ｌは円筒長さ、Ｌ１は縦溝の幅、Ｄ１は縦溝の深さ、Ｄ２は横溝の深さ、Ｃ１は軸外面と円筒内面との片側隙間、Ｃ２は軸受ブッシュ内面と円筒外面との片側隙間である。
【００２０】
【発明の効果】
以上の説明より明らかなように、本発明は、フローティングベアリングを構成する円筒内面の縦溝の寸法を（１）式と（２）式で示すようにすることにより、ホワール軸振動を大幅に減少させることができる。またこの減少により軸とその軸受の寿命を延ばすことができる。
【図面の簡単な説明】
【図１】  本発明のフローティングベアリングを用いる過給機の縦断面図である。
【図２】  本実施の形態のフローティングベアリングを構成する円筒の縦断面図である。
【図３】  図２のＸ−Ｘ断面図である。
【図４】  回転軸、円筒および軸受ブッシュの関係を示す図である。
【図５】  実験結果を示す図で縦溝が無い場合を示す。
【図６】  実験結果を示す図で縦溝が浅い場合を示す。
【図７】  実験結果を示す図で縦溝が適正な寸法の場合を示す。
【図８】  従来のフローティングベアリングの一例を示す図である。
【符号の説明】
１  回転軸
２  円筒
３  軸受ブッシュ
４  給油受口
５  給油口
６  横溝
７  縦溝
１２  ベアリングハウジング
１４  コンプレッサハウジング
１５  タービンハウジング
１７  ジャーナル軸受
１８  スラスト軸受
１９  給油路
２０  排油路
【図１】
0003824098.tif 000002
【図２】
0003824098.tif 000003
【図３】
0003824098.tif 000004
【図４】
0003824098.tif 000005
【図５】
0003824098.tif 000006
【図６】
0003824098.tif 000007
【図７】
0003824098.tif 000008
【図８】
0003824098.tif 000009